(57)【要約】      （修正有）【課題】システム手帳で書き込み時にリングが邪魔になるという問題を解決できる、リングに近い部分に書き込んだ時にも、下敷きが安定し動くことがないように、位置調整の補助器具がリングを直接固定するか、下敷きをリングと貫通している部分の真下から支持する、システム手帳補助器具を提供する。【解決手段】リングとリーフ紙の段差を小さくするために、下敷き２と、その下敷き２をリングに対して望ましい位置に固定出来る補助器具を設ける。下敷き２を安定して状態で固定するため、リングに近い部分に書き込んだ時にも下敷き２が安定し、動くことがないように、位置調整の補助器具がリングを直接固定するか、下敷き２をリングと貫通している部分の真下から補助器具で支持する。更に書き込みやすい状況を得るため、利き手の反対側だけでなく左右両方に下敷き２と補助器具を装着することで、利き手方向のリーフ紙に利き手を置くことが可能となる。【選択図】図２
2014213502.tif 000002
【特許請求の範囲】
【請求項１】
システム手帳のリングとリーフ紙の段差を小さくするため、下敷きの下側にリングに対して調整可能な位置に固定出来る補助器具を設ける機構。
【請求項２】
請求項１において、補助器具がリングを挟み込むことで下敷きの位置を調節する機構。
【請求項３】
請求項１において、下敷きがリングに貫通されている下側から補助器具で支持し、補助器具を折り曲げる組み合わせを変化させることで、下敷きの位置を調節する機構。
【請求項４】
請求項１において、下敷き及び補助器具を利き手の反対側だけでなく、左右両方に装着し、利き手方向のリーフ紙に利き手を置くことが可能となる機構。
【発明の詳細な説明】
【技術分野】
【０００１】
本発明は、システム手帳のリングによる、書き込みにくさを解消するための補助器具に関するものである    
【先行技術文献】
【特許文献】
【０００２】
【特許文献１】特開平１０−１２９１５３
【特許文献２】特開平０４−１４１４９６
【特許文献３】特開２０１１−０９８５５９
【発明の概要】
【発明が解決しようとする課題】
【０００３】
システム手帳は用紙の入れ替えが可能であり、共通な規格品が数多く市場に広まっているため数多くの人が使用しているが、書き込みを行う時にリーフ紙を固定するリングが邪魔になり、書き込みにくいという問題がある。
【０００４】
この問題はリーフ紙を大量に保持出来るタイプの、リング径が大きいシステム手帳を使用し、尚且つ利き手の反対側に書き込む時に顕著に感じられる。また、リング径が１０ミリ以下と、それほど大きくないシステム手帳においても、書き込む側のリーフ紙が少量の場合は、リングとリーフ紙面の段差が大きくなり、書き込みにくい状態となってしまう。
【０００５】
この問題を解決するため、これまで幾つかの案が提示されているが、機構が特殊であるため、共通のシステム手帳やリーフ紙が使用出来なくなったり、機構が複雑過ぎて高価で重いものとなったりというデメリットがあるため、根本的な対策として世の中に受け入れられた商品は未だ市場に出ていない。
【課題を解決するための手段】
【０００６】
リングとリーフ紙の段差を小さくするために、下敷きと、その下敷きをリングに対して望ましい位置に固定出来る補助器具を設ける。
【０００７】
下敷きを安定して状態で固定するため、リングに近い部分に書き込んだ時にも、下敷きが安定し動くことがないように、位置調整の補助器具がリングを直接固定するか、下敷きをリングと貫通している部分の真下から補助器具で支持する。
【０００８】
下敷き及び補助器具は、リングによる書き込みにくさを軽減するため、利き手の反対側に装着されることを想定している。しかし更に書き込みやすい状況を得るために、左右両方に装着し、リーフ紙の両面をリングと段差の少ない位置へ固定させることで、利き手方向のリーフ紙に利き手を置くことが可能となる。
【発明を実施するための形態】
【実施例】
【０００９】
以下、図面を参照して本発明の好ましい実施形態について詳細に説明する。
図１は本発明の好ましい実施形態であるシステム手帳１へ、下敷き２とリング３を固定するための補助器具４を装着した斜視図である。
図２は図１の下敷き２及び補助器具４を分解した斜視図である。
図３は図１のシステム手帳１、下敷き２及びリング３を固定している補助器具４の断面図である。
図４は図１のシステム手帳１、下敷き２及びリング３を開放している補助器具４の断面図である。
図５は本発明の好ましい実施形態であるシステム手帳１へ、下敷き１６と調整可能な厚みで下敷き１６を支える補助器具１７を装着した斜視図である。
図６は図５の下敷き及び補助器具を分解した斜視図である。
図７は図５のシステム手帳１と下敷き及び補助器具の下面図である。
図８は図５の補助器具の内側１列目を２段に重ねた状態の下面図である。
図９は図５の補助器具の内側２列目を２段に重ねた状態の下面図である。
図１０は図５の補助器具の内側１列目を３段に重ねた状態の下面図である。
図１１は図５の補助器具の内側１列目を４段に重ねた状態の下面図である。
【００１０】
図２に示されているように、補助器具４はプレート５、ラバー６、ネジ７、プレート８により構成され、プレート５はネジ７により、ラバー６を挟み込む状態で下敷き２に固定される。
【００１１】
プレート８は、２箇所のツメ１０によりプレート５と密着しつつ、システム手帳１の内外方向へスライドする事が出来る。プレート８は８箇所のバネ部１２を持ち、その先端には８箇所のリブ１１を備えている。
【００１２】
リブ１１はプレート５の２箇所の長穴９と噛み合っており、バネ部１２の弾性変形力によって、下敷き２に固定されているプレート５、ラバー６、ネジ７をシステム手帳１の外方向へ押し付けている。
【００１３】
図３に示されているように、リング３はラバー６とプレート８の６箇所の穴１３に貫通しており、リング３はバネ部１２の弾性変形力によりラバー６とプレート８の穴１３に挟み込まれている。
【００１４】
下敷き２及び補助器具４はリング３と接触している部分を支軸として、下敷き２の外側先端が矢印１４へ回転する方向にシステム手帳１へ押し付けられることで固定される。
【００１５】
図４に示されているように、下敷き２を矢印１５の方向へ押し付けることによって、バネ部１２が弾性変形を起こし、下敷き２及び補助器具４はリング３と接触しているプレート８の穴１３を支点として支軸として矢印１５の方向へスライドする。
【００１６】
このことにより、ラバー６はリング３を挟み込まなくなり、下敷き２及び補助器具４の位置をリング３に沿って調節することが出来る。位置が定まったら下敷き２の押し付けを止める事で、下敷き２及び補助器具４は再びリング３に固定される。
【００１７】
図６に示されているように、補助器具１７はプレート１８、プレート１９、プレート２０、プレート２１、プレート２２、プレート２３、プレート２４、プレート２５、８箇所の磁石２６、弾性材２７構成され、プレート１８、プレート２０、プレート２１、プレート２２は、弾性材２７と８箇所の磁石２６を挟み込む形でプレート１９、プレート２３、プレート２４、プレート２５に接着、もしくはツメ、ネジなどを用いて固定される。
【００１８】
プレート１８はプレート１９に対して点対称位置に配置した同一形状であり、プレート２０、プレート２１、プレート２２、プレート２３、プレート２４、プレート２５も点対称位置に配置した同一形状である。
【００１９】
８箇所の磁石２６は隣の磁石と吸着するように、互い違いの磁極に配置されている。下敷き１６は補助器具１７が固定されるように、磁石２６を吸い付ける特性を持った材質であることが望ましい。
【００２０】
下敷き１６は長穴２８にリング３を貫通させ、補助器具１７はプレート１８の穴２９、プレート１９の穴３１、弾性材２７の穴３０にリング３を貫通させて、システム手帳１に装着されている。
【００２１】
図８に示されているように、補助器具１７は磁石２６の吸着力により、プレート１９とプレート２５、プレート２３とプレート２４が接合し、更に下敷き１６と接合している。このことにより、下敷き１６は補助器具１７によりシステム手帳１の内側面より押し上げられ、リング３とリーフ紙の段差は小さくなる。
【００２２】
図９、図１０、図１１に示されているように、書き込みを行うリーフ紙の枚数とシステム手帳１のリング３外径との関係によって、補助器具１７のプレート同士を接合させる組み合わせを変化させ、下敷き１６の位置を適正に調節する事が出来る。
【００２３】
この例では磁石を使用しているが、プレート同士を接合させるための手段は、フックなど他の機構で結合させるか、連結に用いている弾性材にバネ性を持たせるなど、特に限定されることはない。
【図面の簡単な説明】
【００２４】
【図１】システム手帳へ、下敷きとリングを固定するための補助器具を装着した斜視図である。
【図２】図１の下敷き及び補助器具を分解した斜視図である。
【図３】図１のシステム手帳、下敷き及びリングを固定している補助器具の断面図である。
【図４】図１のシステム手帳、下敷き及びリングを開放している補助器具の断面図である。
【図５】システム手帳へ、下敷きと調整可能な厚みで下敷きを支える補助器具を装着した斜視図である。
【図６】図５の下敷き及び補助器具を分解した斜視図である。
【図７】図５のシステム手帳と下敷き及び補助器具の下面図である。
【図８】図５の補助器具の内側１列目を２段に重ねた状態の下面図である。
【図９】図５の補助器具の内側２列目を２段に重ねた状態の下面図である。
【図１０】図５の補助器具の内側１列目を３段に重ねた状態の下面図である。
【図１１】図５の補助器具の内側１列目を４段に重ねた状態の下面図である。
【符号の説明】
【００２５】
１：    システム手帳
２：    下敷き
３：    リング
４：    補助器具
５：    プレート
６：    ラバー
７：    ネジ
８：    プレート
９：    長穴
１０：  ツメ  
１１：  リブ
１２：  バネ部
１３：  穴
１４：  矢印
１５：  矢印
１６：  下敷き
１７：  補助器具
１８：  プレート
１９：  プレート
２０：  プレート
２１：  プレート
２２：  プレート
２３：  プレート
２４：  プレート
２５：  プレート
２６：  磁石
２７：  弾性材
２８：  長穴
２９：  穴
３０：  穴
３１：  穴
【図１】
2014213502.tif 000003
【図２】
2014213502.tif 000004
【図３】
2014213502.tif 000005
【図４】
2014213502.tif 000006
【図５】
2014213502.tif 000007
【図６】
2014213502.tif 000008
【図７】
2014213502.tif 000009
【図８】
2014213502.tif 000010
【図９】
2014213502.tif 000011
【図１０】
2014213502.tif 000012
【図１１】
2014213502.tif 000013